(57)【特許請求の範囲】
【請求項１】
画像データを符号化する符号化回路、
この符号化回路によって符号化された画像データを複数の信号線を介して伝送する制御回路、
この制御回路によって伝送される画像データを復号化すると共に、復号化された画像データに基づき駆動信号を出力する液晶駆動回路、
この液晶駆動回路の出力する駆動信号により画像を表示する表示部を備え、
上記符号化回路は、複数に分割されると共に、分割された各符号化回路に対応して、画像データを伝送する信号線が分割されていることを特徴とする液晶表示装置。
【請求項２】
符号化回路は、画像データの第一の極性から第二の極性への同時変化が少なくなるように構成されたことを特徴とする請求項１記載の液晶表示装置。
【請求項３】
伝送される画像データは、所定時間毎にブロックに分割されると共に、上記分割されたブロック毎に同時変化が少なくなるように符号化されることを特徴とする請求項１記載の液晶表示装置。
【請求項４】
伝送される画像データは、同一時点で過半数の画像データが同時変化しないように符号化されることを特徴とする請求項１記載の液晶表示装置。
【請求項５】
符号化回路は、画像データの奇数列及び偶数列に対応するように分割されていることを特徴とする請求項１〜請求項４のいずれかに記載の液晶表示装置。
【請求項６】
符号化回路は、画像データのＲ、Ｇ、Ｂの各色に対応するように分割されていることを特徴とする請求項１〜請求項５のいずれかに記載の液晶表示装置。
【請求項７】
液晶駆動回路の復号化する機能は、符号化回路に対応して分割されていることを特徴とする請求項１〜請求項６のいずれかに記載の液晶表示装置。
【請求項８】
画像データを符号化する符号化回路、
この符号化回路によって符号化された画像データを複数の信号線を介して伝送する制御回路、
この制御回路によって伝送される画像データを復号化すると共に、復号化された画像データに基づき駆動信号を出力する液晶駆動回路、
この液晶駆動回路の出力する駆動信号により画像を表示する表示部を備え、
上記符号化回路は、演算方法の異なる複数の符号化器を有し、上記複数の符号化器が切り替えて用いられるように構成されていることを特徴とする液晶表示装置。
【発明の詳細な説明】
【０００１】
【発明の属する技術分野】
この発明は、コンピュータの表示画面などに用いられる液晶表示装置に関するものである。
【０００２】
【従来の技術】
図１０は、従来の液晶表示装置を示す概略構成図である。
図１０において、１は制御回路基板、２は制御回路基板１の映像データ及び制御信号を供給するタイミングコントローラ、３はタイミングコントローラ２の供給する信号を伝送するバス基板、４はバス基板３を介してタイミングコントローラ２の供給する信号を受信し、表示部の各画素に対応した信号を供給する液晶駆動回路、５は液晶駆動回路４によって駆動されるマトリクス型表示部である。
高解像度や多階調の液晶表示装置を実現するためには、多くの映像データを高速に液晶駆動回路に伝送する必要がある。従来は、図１０に示すように、複数の映像データが、パラレルに制御回路基板１のタイミングコントローラ２からバス基板３を介して、液晶駆動回路４に供給され、この液晶駆動回路４内で、各画素に対応したデータをラッチして、マトリクス型表示部５に信号を供給している。例えば、６４階調の液晶表示装置の場合、Ｒ（赤）、Ｇ（緑）、Ｂ（青）各６ビット１８本のデータを、パラレルに配線し、伝送している。
また、ＸＧＡなどの高解像度の液晶表示装置では、映像データ量が多く、信号が高速になるため、奇数列と偶数列に分け、さらにそれらをパラレル伝送するものもある。この場合、６４階調を出すには、３６本のデータをパラレルに配線し伝送している。
【０００３】
図１１は、従来の液晶表示装置の液晶駆動回路を示す概略構成図である。
図１１において、４は液晶駆動回路、６はシフトレジスタ、７はラッチ回路とデータレジスタにより構成されるラッチ／データレジスタ、８はレベルシフタ、９はＤ／Ａコンバータと出力バッファから構成されるＤ／Ａコンバータ／出力バッファであり、６〜９で液晶駆動回路４を構成している。
液晶駆動回路４にパラレルに入力された複数のデータは、シフトレジスタ６で所定のラインに振り分けられ、ラッチ回路でラッチされ、データレジスタにデータが書き込まれる。このデータに基づいてレベルシフタ８、Ｄ／Ａコンバータ、出力バッファを介して、マトリクス型表示部５に出力される。
【０００４】
【発明が解決しようとする課題】
多くのデータがパラレルに伝送された場合、信号線からの放射（不要輻射）や同時変化による電源、グランドからの放射が多くなり、ＥＭＩ（Ｅｌｅｃｔｒｏｍａｇｎｅｔｉｃ  Ｉｎｔｅｒｆｅｒｅｎｃｅ）が問題となる。このため、放射を低減するためにタイミングコントローラ２から複数のデータ信号を異なる位相で出力することが考えられるが、データの位相マージンが減少し、セットアップタイムやホールドタイムを確保できなくなる。
【０００５】
この発明は、上記のような課題を解決するためになされたもので、全てのデータに対して位相マージンを十分確保でき、信号線や電源、グランドからの放射を低減することができる液晶表示装置を得ることを目的としている。
【０００６】
【課題を解決するための手段】
この発明に関わる液晶表示装置においては、画像データを符号化する符号化回路、
この符号化回路によって符号化された画像データを複数の信号線を介して伝送する制御回路、
この制御回路によって伝送される画像データを復号化すると共に、復号化された画像データに基づき駆動信号を出力する液晶駆動回路、
この液晶駆動回路の出力する駆動信号により画像を表示する表示部を備え、
符号化回路は、複数に分割されると共に、分割された各符号化回路に対応して、画像データを伝送する信号線が分割されているものである。
また、符号化回路は、画像データの第一の極性から第二の極性への同時変化が少なくなるように構成されたものである。
【０００７】
また、伝送される画像データは、所定時間毎にブロックに分割されると共に、分割されたブロック毎に同時変化が少なくなるように符号化されるものである。
さらに、伝送される画像データは、同一時点で過半数の画像データが同時変化しないように符号化されるものである。
【０００８】
また、符号化回路は、画像データの奇数列及び偶数列に対応するように分割されているものである。
【０００９】
さらにまた、符号化回路は、画像データのＲ、Ｇ、Ｂの各色に対応するように分割されているものである。
また、液晶駆動回路の復号化する機能は、符号化回路に対応して分割されているものである。
【００１０】
また、画像データを符号化する符号化回路、
この符号化回路によって符号化された画像データを複数の信号線を介して伝送する制御回路、
この制御回路によって伝送される画像データを復号化すると共に、復号化された画像データに基づき駆動信号を出力する液晶駆動回路、
この液晶駆動回路の出力する駆動信号により画像を表示する表示部を備え、
符号化回路は、演算方法の異なる複数の符号化器を有し、複数の符号化器が切り替えて用いられるように構成されているものである。
【００１２】
【発明の実施の形態】
以下、この発明の実施の形態について図を用いて説明する。
実施の形態１．
図１は、この発明の実施の形態１による液晶表示装置を示す概略構成図である。
図１において、１は制御回路基板、２は制御回路基板１の映像データ及び制御信号を供給する制御回路であるタイミングコントローラ、３はタイミングコントローラ２の供給する画像データ信号を並列に伝送するよう所定本数の信号線が配置されているバス基板、４はバス基板３を介してタイミングコントローラ２の供給する信号を受信し、表示部の各画素に対応した信号を供給する液晶駆動回路、５は液晶駆動回路４によって駆動されるマトリクス型表示部である。１１は制御回路基板１に設けられ、液晶駆動回路４に供給するデータを符号化して、バス基板３を介して液晶駆動回路４に伝送するデータ符号化回路である。
図２は、この発明の実施の形態１による液晶表示装置の液晶駆動回路を示す概略図である。
図２において、４は液晶駆動回路、６はシフトレジスタ、７はラッチ回路とデータレジスタにより構成されるラッチ／データレジスタ、８はレベルシフタ、９はＤ／Ａコンバータと出力バッファから構成されるＤ／Ａコンバータ／出力バッファである。１２は符号化されて伝送されてくるデータを復号化する復号化回路（復号化機能）であり、復号化したデータをシフトレジスタ６に供給する。６〜９、１２は液晶駆動回路４を構成している。
【００１３】
次に、動作について説明する。
実施の形態１の液晶表示装置では、従来装置と同様に、複数の映像データ信号が、パラレルにタイミングコントローラ２からバス基板３を介して液晶駆動回路４に供給される。
液晶駆動回路４の動作も基本的には、従来装置と同様であり、パラレルに入力された複数のデータは、シフトレジスタ６で所定のラインに振り分けられ、ラッチ回路でラッチされ、データレジスタにデータが書き込まれる。このデータに基づいてレベルシフタ８、Ｄ／Ａコンバータ、出力バッファを介して、マトリクス型表示部５を駆動する駆動信号が出力される。
【００１４】
実施の形態１では、制御回路基板１に、データ符号化回路１１を設けたことが特徴であり、例えば、データの第一の極性から第二の極性への同時変化が少なくなるように、データを符号化し、バス基板３を介してデータを液晶駆動回路４に伝送するようにしている。
また、液晶駆動回路４には、図２のように、復号化回路１２があり、データ符号化回路１１によって符号化されたデータを、元のデータに戻して、マトリクス型表示部５にデータを出力する。なお、図１では、データ符号化回路１１を、制御回路基板１のタイミングコントローラ２の後段に配した例を示したが、データ符号化回路１１を、タイミングコントローラ２の前段に配してもよい。
【００１５】
また、データ符号化回路１１は、液晶表示装置に入力する信号を供給するＰＣ（パーソナルコンピュータ）やモニタ側の回路に設けても良い。
データ符号化回路１１で、複数のデータをある規則に従って符号化する。符号化することにより、複数のデータは位相マージンを確保したり、同時変化数を減らすなど、複数のデータを伝送する伝送経路に適した形態で、データを伝送でき、液晶駆動回路４の復号化回路１２で、元のデータに戻すことができる。
【００１６】
実施の形態１によれば、データ送信側にデータ符号化回路１１を設け、液晶駆動回路４に復号化機能を持たせたことにより、多くのデータがパラレル伝送される場合のデータの位相マージンを確保しつつ、データの同時変化を減らし、信号線からの不要輻射や電源、グランドからの放射を低減することができる。
【００１７】
実施の形態２．
図３は、この発明の実施の形態２による液晶表示装置の信号例を示す概略図である。
図４は、この発明の実施の形態２による液晶表示装置の別の信号例を示す概略図である。
なお、実施の形態２の構成は、図１と図２に示すものと同一のものであり、実施の形態２は、図１と図２を援用して説明する。
【００１８】
実施の形態２のデータ符号化回路１１では、例えば、図３に示すように、複数のデータをある単位で時分割し、その分割ブロックの中での同時変化数をカウントし、同一極性に変化するデータ数が少なくなるようブロック単位でデータを反転させる。この時、ブロックのデータが反転しているかどうかを示すフラグをたてる。
図３では、簡単に説明するため、データを３種類（データＡ、データＢ、データＣ）について示している。データを時間軸で５個を１ブロックに分け、そのブロックの中でデータの同一極性に変化するところが２個以上（図中Ｘ、Ｙ）ある場合、これを最少にするようデータを反転させる。反転させたデータにはフラグを立てる（ここでは１）。このようにすることで、復号化前に１０箇所あった同一極性の変化箇所が、３箇所に減っている。復号化回路１２では、このフラグをもとに、データを再度反転させ、もとのデータに戻す。
【００１９】
次に、図４について説明する。
図４は、データ符号化回路１１により、フラグを別のデータ線に設け、時間軸上の同一位置すなわち同一時点でのデータ極性反転数が、過半数を超えた場合、過半数を超えないようにデータを反転させ、フラグを立てる。復号化回路１２では、フラグに従いデータを再度反転させ、もとのデータに戻す。
【００２０】
実施の形態２によれば、入力データに対応して、出力する複数データの同時変化数が少なくなるように、入力データを変換するとともに、変換したことを示すフラグを付加して出力するデータ符号化機能を持つデータ符号化回路と、液晶駆動回路内でデータに付加されたフラグに従って、入力された複数データを元のデータに戻す復号化機能を持つ液晶駆動回路を有することにより、多くのデータがパラレル伝送される場合のデータの同時変化を減らすことができ、信号線からの不要輻射や電源、グランドからの放射を低減することができる。
【００２１】
実施の形態３．
図５は、この発明の実施の形態３による液晶表示装置のデータ符号化回路及び復号化回路を示す概略図である。
図５において、１１はデータを符号化するデータ符号化回路であり、２つに分割されている。１２は符号化されたデータを復号化する復号化回路であり、２つに分割されている。
【００２２】
実際の液晶表示装置では、例えば６４階調の場合、データがＲ、Ｇ、Ｂ各６ビットの１８個ある。また、高解像度の液晶表示装置では、周波数帯域が広いため、データを分割し、分周する場合がある。例えば、表示列の偶数列と奇数列の２つにデータを分割した場合、データ数は３６個となる。このように、実際のデータ数が多いため、同時変化数を判定し削減することを効率よく行うため、データを複数に分割し、分割したデータ単位で同時変化数の判定と削減を行う。
実施の形態３では、このため、データ符号化回路１１と復号化回路１２を二つに分割している。
【００２３】
実施の形態３によれば、複数のデータを複数ブロックに分割し、各ブロック毎にデータの符号化及び復号化を行うことにより、データの同時変化数をさらに削減できるため、多くのデータがパラレル伝送される場合のデータの同時変化をより減らすことができ、信号線からの不要輻射や電源、グランドからの放射をより低減することができる。
【００２４】
実施の形態４．
図６は、この発明の実施の形態４による液晶表示装置のデータ符号化回路及び復号化回路を示す概略図である。
図６において、１１はデータを符号化するデータ符号化回路で、偶数列と奇数列でデータを二分割して符号化するよう二つに分けられている。１２は符号化されたデータを復号化する復号化回路であり、偶数列と奇数列のデータを復号化するよう二分割されている。
実際の液晶表示装置では、表示される画面の近傍のデータが似ている場合が多く、偶数列と奇数列でデータを二分割することで、効率よく同時変化数を判定し削減することができる。
【００２５】
実施の形態４によれば、複数のデータを表示列の奇数列及び偶数列に分割し、分割したデータ毎にデータの符号化及び復号化することにより、データの変化が比較的同時に発生するブロック毎に符号化し、多くのデータがパラレル伝送される場合のデータの同時変化をさらに低減することができ、信号線からの不要輻射や同時スイッチングによる電源、グランドからの放射をさらに低減することができる。
【００２６】
実施の形態５．
図７は、この発明の実施の形態５による液晶表示装置のデータ符号化回路及び復号化回路を示す概略図である。
図７において、１１はデータを符号化するデータ符号化回路で、Ｒ、Ｇ、Ｂの各色毎に符号化するよう三分割されている。１２は符号化されたデータを復号化する復号化回路で、Ｒ、Ｇ、Ｂ毎に復号化するよう三分割されている。
液晶表示装置は、１列毎にＲ、Ｇ、Ｂ３色のデータで構成されている。このため、データをＲ、Ｇ、Ｂの各色に分割して符号化及び復号化することで、さらに効率よく同時変化数を判定し削減することができる。
【００２７】
実施の形態５によれば、複数のデータをＲ、Ｇ、Ｂの色データに分割し、分割したデータ毎にデータの符号化及び復号化することにより、データの変化が比較的同時に発生するブロック毎に符号化し、多くのデータがパラレル伝送される場合のデータの同時変化をよりさらに減らすことができ、信号線からの不要輻射や同時スイッチングによる電源、グランドからの放射をよりさらに低減することができる。
【００２８】
実施の形態６．
図８は、この発明の実施の形態６による液晶表示装置のデータ符号化回路を示す概略図である。
図８において、１１はデータを符号化するデータ符号化回路である。１３、１４はそれぞれ演算方法が異なる符号化器である。１５、１６は、符号化器１３、１４を切換えて用いるよう、符号化器１３、１４の前段及び後段に配置されたセレクタである。
【００２９】
実施の形態６は、複数のデータの使用状況、例えば８ビットのデータ伝送能力を持ちながら、６ビットだけ使用する場合などに、符号化する際の演算方法を切り換え、実際に使用している６ビットのデータで、同時変化数を判定するものである。もとの８ビットで判定すると、使用していない２ビットがあるため、変化しない信号が多いと判定する場合があるが、実際に使用するデータで判定するため、データの同時変化を最適に減らすことができる。
【００３０】
実施の形態６によれば、複数のデータの使用状況に応じて、符号化する際の演算方法を切換えることで、実際に使用するデータで判定できるため、データの同時変化を最適に減らすことができ、信号線からの不要輻射や同時スイッチングによる電源、グランドからの放射をよりさらに低減することができる。
【００３１】
実施の形態７．
図９は、この発明の実施の形態７による液晶表示装置を示す概略構成図である。
図９において、１〜５、１１は図１におけるものと同一のものであるが、図９では、データ符号化回路１１を、タイミングコントローラ２内に設けている。
液晶表示装置を制御するため、タイミングコントローラ２として、ＡＳＩＣなどのＩＣチップを使用する場合が多い。このため、データ符号化回路１１を、このタイミングコントローラ２に内蔵したのが、実施の形態７である。
【００３２】
実施の形態７によれば、データ符号化回路１１をタイミングコントローラ２に内蔵したことにより、多くのデータがパラレル伝送される場合のデータの同時変化を安価で簡単に減らすことができ、信号線からの不要輻射や電源、グランドからの放射を安価で簡単に低減することができる。
【００３３】
【発明の効果】
この発明は、以上説明したように構成されているので、以下に示すような効果を奏する。
画像データを符号化する符号化回路、
この符号化回路によって符号化された画像データを複数の信号線を介して伝送する制御回路、
この制御回路によって伝送される画像データを復号化すると共に、復号化された画像データに基づき駆動信号を出力する液晶駆動回路、
この液晶駆動回路の出力する駆動信号により画像を表示する表示部を備え、
上記符号化回路は、複数に分割されると共に、分割された各符号化回路に対応して、画像データを伝送する信号線が分割されているので、伝送される画像データの同時変化を減らすことができ、それゆえ信号線からの不要輻射や電源、グランドからの放射を低減することができる。
また、符号化回路は、画像データの第一の極性から第二の極性への同時変化が少なくなるように構成されたので、伝送される画像データの同時変化を少なくすることができる。
【００３４】
また、伝送される画像データは、所定時間毎にブロックに分割されると共に、分割されたブロック毎に同時変化が少なくなるように符号化されるので、ブロック毎に伝送される画像データの同時変化を少なくすることができる。
さらに、伝送される画像データは、同一時点で過半数の画像データが同時変化しないように符号化されるので、同一時点での画像データの同時変化を少なくすることができる。
【００３５】
また、符号化回路は、画像データの奇数列及び偶数列に対応するように分割されているので、奇数列及び偶数列毎に効率よく同時変化数を削減することができる。
【００３６】
さらにまた、符号化回路は、画像データのＲ、Ｇ、Ｂの各色に対応するように分割されているので、各色毎に効率よく同時変化数を削減することができる。
また、液晶駆動回路の復号化する機能は、符号化回路に対応して分割されているので、効率よく復号化することができる。
【００３７】
また、画像データを符号化する符号化回路、
この符号化回路によって符号化された画像データを複数の信号線を介して伝送する制御回路、
この制御回路によって伝送される画像データを復号化すると共に、復号化された画像データに基づき駆動信号を出力する液晶駆動回路、
この液晶駆動回路の出力する駆動信号により画像を表示する表示部を備え、
上記符号化回路は、演算方法の異なる複数の符号化器を有し、複数の符号化器が切り替えて用いられるように構成されているので、画像データの使用状況に応じて符号化器を切り替えることができ、画像データの同時変化を最適に削減することができる。
【図面の簡単な説明】
【図１】  この発明の実施の形態１による液晶表示装置を示す概略構成図である。
【図２】  この発明の実施の形態１による液晶表示装置の液晶駆動回路を示す概略図である。
【図３】  この発明の実施の形態２による液晶表示装置の信号例を示す概略図である。
【図４】  この発明の実施の形態２による液晶表示装置の別の信号例を示す概略図である。
【図５】  この発明の実施の形態３による液晶表示装置のデータ符号化回路及び復号化回路を示す概略図である。
【図６】  この発明の実施の形態４による液晶表示装置のデータ符号化回路及び復号化回路を示す概略図である。
【図７】  この発明の実施の形態５による液晶表示装置のデータ符号化回路及び復号化回路を示す概略図である。
【図８】  この発明の実施の形態６による液晶表示装置のデータ符号化回路を示す概略図である。
【図９】  この発明の実施の形態７による液晶表示装置を示す概略構成図である。
【図１０】  従来の液晶表示装置を示す概略構成図である。
【図１１】  従来の液晶表示装置の液晶駆動回路を示す概略構成図である。
【符号の説明】
１  制御回路基板、２  タイミングコントローラ、３  バス基板、
４  液晶駆動回路、５  マトリクス型表示部、６  シフトレジスタ、
７  ラッチ回路／データレジスタ、８  レベルシフタ、
９  Ｄ／Ａコンバータ／出力バッファ、１１  データ符号化回路、
１２  データ復号化回路、１３，１４  符号化器、１５，１６  セレクタ。
【図１】
0004508359.tif 000002
【図２】
0004508359.tif 000003
【図３】
0004508359.tif 000004
【図４】
0004508359.tif 000005
【図５】
0004508359.tif 000006
【図６】
0004508359.tif 000007
【図７】
0004508359.tif 000008
【図８】
0004508359.tif 000009
【図９】
0004508359.tif 000010
【図１０】
0004508359.tif 000011
【図１１】
0004508359.tif 000012